(57)【要約】【課題】  一つのスライダーだけを操作して瞬時にストラップを短縮することができる伸縮自在なストラップ装置を提供する。【解決手段】  ストラップ装置１５は、第１スリット７ａ及び第３スリット７ｂが形成され、その間に画成された中間部材３ｂを有する第１ガイド３と、一端が中間部材３ｂに連結された単一のストラップ１１と、第１ガイド３と対向して移動可能に配置され、第２スリット９ａ及び第４スリット９ｂが形成され、それらの間に画成された中間部材５ｂを有する第２ガイド５とを備える。ストラップ他端１１ｂが第２スリット９ａ、第４スリット９ｂ、第３スリット７ｂ、第１スリット７ａ、第２スリット９ａを順に通過している。ストラップ他端１１ｂを第２ガイド５から引き離すとストラップが３倍長に引き出され、第２ガイド５を第１ガイドから引き離すとストラップが元の長さに収納される。【選択図】  図１
2005199002.tif 000002
【特許請求の範囲】
【請求項１】
伸縮自在なストラップ装置であって、
第１スリット及び第３スリットが形成され、第１スリットと第３スリットの間に画成された第１中間部材を有する第１ガイドと；
一端が第１中間部材に連結されたストラップと；
第１ガイドと対向して移動可能に配置され、第２スリット及び第４スリットが形成され、第２スリットと第４スリットの間に画成された第２中間部材を有する第２ガイドと；を備え、
ストラップの他端が第２スリット及び第４スリットを通って第１ガイドの方に戻り、次いで第１ガイドの第３スリット及び第１スリットを通って第２ガイドの方に戻り、次いで第２ガイドの第２スリットを通過しているストラップ装置。
【請求項２】
さらに、ストラップ他端が、第２スリットを通過した後に、再度第４スリットを通過して、第１ガイドの方に戻り、第３スリットを通過している請求項１に記載のストラップ装置。
【請求項３】
さらに、ストラップ他端が、第３スリットを通過した後に、第１スリットを通過して、第２ガイドの方に戻り、第２スリットを通過している請求項２に記載のストラップ装置。
【請求項４】
第２中間部材の第２スリット側の面が第４スリット側の面よりもストラップの延在方向に関して傾斜している請求項１から３のいずれか一項に記載のストラップ装置。
【請求項５】
伸縮自在なストラップ装置であって、
ストラップが通過可能な開口が形成されたリングと；
上記リングと対向して移動可能に配置され、第２スリット及び第４スリットが形成され、第２スリットと第４スリットの間に画成された中間部材を有するガイドと；を備え、
ストラップの一端がリングまたは中間部材に連結されたストラップと；
ストラップの他端が第２スリット及び第４スリットを通ってリングの方に戻り、次いで上記開口を通ってガイドの方に戻り、次いでガイドの第２スリットを通過しているストラップ装置。
【請求項６】
請求項１または５に記載のストラップ装置を備えるバッグ。
【発明の詳細な説明】
【技術分野】
【０００１】  本発明は、携帯電話やカバンに使用可能な伸縮自在のストラップ装置に関する。
【背景技術】
【０００２】  ショルダストラップ（ショルダベルト）が取付けられたバッグは、ショルダストラップを肩に掛けてバッグを保持することができるので、バッグの荷重が重い場合や使用者の手を自在にしたい場合などに便利である。しかしながら、ショルダストラップを使用しない場合には、ショルダストラップがバッグ本体から垂れ下がり体裁が良くない。また、バッグ本体から垂れ下がったショルダストラップがものに引っ掛るという安全性の問題や、床に触れるという衛生上の問題もある。【０００３】  本発明者は上記問題を解決するために、特許文献１において、ストラップ上を移動可能な二つのスライダー（ガイド）を用いて伸縮可能なストラップ装置を開示した。このストラップ装置は必要時に３〜４倍長のストラップが瞬時に引き出し可能である点で革新的であった。しかしながら、延長したときにスライダーがストラップのほぼ中央に位置するために、この装置をショルダストラップとして用いる場合には、スライダーと人体との干渉防止を工夫する必要があった。また、ストラップを収納（短縮）する場合には、二つのスライダーを、「両手」で互いに引き離さなければならないという、やや面倒な操作が必要であった。
【特許文献１】特許３３５９６２７号公報
【０００４】
【発明の開示】
【発明が解決しようとする課題】
【０００５】  本発明の目的は、前記従来技術の不都合を解消し、一方のスライダーの操作のみで収納が可能となる新規な構造のストラップ装置を提供することにある。
【課題を解決するための手段】
【０００６】  本発明の第１の態様に従えば、伸縮自在なストラップ装置（１５）であって、第１スリット（７ａ）及び第３スリット（７ｂ）が形成され、第１スリットと第３スリットの間に画成された第１中間部材（３ｂ）を有する第１ガイド（３）と；一端（１１ａ）が第１中間部材（３ｂ）に連結されたストラップ（１１）と；第１ガイド（３）と対向して移動可能に配置され、第２スリット（９ａ）及び第４スリット（９ｂ）が形成され、第２スリット（９ａ）と第４スリット（９ｂ）の間に画成された第２中間部材（５ｂ）を有する第２ガイド（５）と；を備え、ストラップの他端（１１ｂ）が第２スリット（９ａ）及び第４スリット（９ｂ）を通って第１ガイドの方に戻り、次いで第１ガイドの第３スリット（７ｂ）及び第１スリット（７ａ）を通って第２ガイド（５）の方に戻り、次いで第２ガイドの第２スリット（９ａ）を通過しているストラップ装置が提供される。ストラップ他端（１１ｂ）を第２ガイド（５）から引き出すとストラップが３倍長に伸び、第２ガイド５を第１ガイドから引き離すとストラップが元の長さに縮む。このストラップ装置において、第１または第２中央部材には、ストラップ装置が装着される物体、例えば、携帯電話（３０）、バッグ（８０）に連結される連結具、例えばストラップを通すリング（１３）を設け得る。
本発明の第２の態様に従えば、伸縮自在なストラップ装置（１５）であって、ストラップ（１１）が通過可能な開口が形成されたリング（１３）と；上記リング（１３）と対向して移動可能に配置され、第２スリット（９ａ）及び第４スリット（９ｂ）が形成され、第２スリット（９ａ）と第４スリット（９ｂ）の間に画成された中間部材（５ｂ）を有するガイド（５）と；を備え、ストラップの一端（１１ａ）がリング（１３）または中間部材（５ｂ）に連結されたストラップ（１１）と；ストラップの他端（１１ｂ）が第２スリット（９ａ）及び第４スリット（９ｂ）を通ってリング（１３）の方に戻り、次いで上記開口を通ってガイド（５）の方に戻り、次いでガイドの第２スリット（９ａ）を通過しているストラップ装置が提供される。
【発明の効果】
【０００７】  本発明のストラップ装置は、縮んだときの長さの３倍以上の長さに極めて容易に延長することができ、ストラップを使用していない場合は、ストラップが邪魔にならない長さに縮み、ストラップが必要なときには瞬時に十分な長さに引き伸ばすことができる。特に、ストラップを縮めるときには、一方のガイドだけを引くだけでよく、極めて操作性に優れる。さらに、本発明のストラップ装置は、ストラップが一本で足り、ストラップとガイドのとの接続も一箇所でよいので、前述の特許文献１のストラップ装置に比べて構造が簡単で、製造コストが低廉である。また、ストラップを伸張したときに、２つのガイドがストラップの端に位置しているために、ショルダストラップに適用したときにガイドが人体に当たらず、しかもデザイン的にもすっきりしているという利点がある。
【発明を実施するための最良の形態】
【０００８】  本明細書において、用語「スリット」とは、細長い矩形のみならず、円形、楕円形、正方形などの任意の断面形状の開口を意味する。また、用語「ストラップ」は、ストラップの長手方向と垂直な断面が細長い矩形のみならず、円形、楕円形などの任意の形状のひも、テープ、シートなどの長尺部材を意味する。長尺部材の材料は、皮、人工皮革、布、プラスチックなどの合成品テープ、紙など任意の材料から形成し得る。これらの長尺部材そのもの、あるいはその内部または表面が、導電性材料で形成されていても良い。【０００９】第１実施形態
本発明のストラップ装置の第１実施形態を、図１Ａ〜１Ｃ、図２及び図３を用いて説明する。ストラップ装置１５は、第１ガイド３、第２ガイド５、ストラップ１１及び接続リング１３を備える。ストラップ１１の一端１１ａは第１ガイド３に連結され、ストラップ１１の他端１１ｂはクリップ２０に連結されている。第１ガイド３は、リング１３及び細紐１３ｂを介して物体、例えば、携帯電話３０に接続されている。リング１３にはストラップを通す開口１３ｃが形成されている（図３参照）。なお、リングの形状は円形、矩形など任意の形状にし得る。【００１０】  第１ガイド３は、図１Ａ及び図３に示すように、ほぼ矩形の枠（中空箱体）であり、枠の上面３ａと中央部材（ブリッジ）３ｂの間にスリット７ａが、下面３ｃと中央部材３ｂの間にスリット７ｂがそれぞれ形成されている。スリット７ａ、７ｂ及び中央部材３ｂはストラップ長手方向（図面左右方向）に互いに平行に延在している。スリット７ａ、７ｂは、それぞれ、ストラップ１１の厚みの２倍以上の高さとストラップの幅よりもわずかに広い幅を有する。ストラップ１１の一端１１ａが、中央部材３ｂ及びリングの端部１３ａを周回してストラップ１１に例えば縫合わせで結合されている。ストラップ１１は、ポリプロピレン、ポリエチレンまたはナイロンのような表面が滑らかで柔軟なテープ状素材から構成されている。第２ガイド５（スライダー）も、また、図１Ａ及び図３に示すように、第１ガイド３と同じ材料及びほぼ同じ構造を有する矩形の枠であり、上面５ａと中央部材５ｂの間にスリット９ａが、下面５ｃと中央部材５ｂの間にスリット９ｂがそれぞれ形成されている。スリット９ｂはスリット９ａと平行に延在し、スリット９ｂはスリット９ａの高さと同じかあるいはその１／２にし得る。第２ガイド５の中央部材５ｂは、図２に示すように、その上面（第２ガイド５の上面５ａと対向する面）がクリップ２０側でストラップ１１の延在方向に関して角度θで傾斜している。換言すると、中央部材５ｂはストラップの他端１１ｂ（クリップ２０）に向かって、ストラップ１１の延在方向に関して非対称に先細り（断面が台形）となっている。【００１１】  図１Ａに示すように、第２ガイド５は第１ガイド３に対して相対移動が可能なように第１ガイド３に対向して配置されている。第１ガイド３の中央部材３ｂに一端１１ａが連結されたストラップ１１の他端１１ｂは、第２ガイド５に向かって延在し、第２ガイド５のスリット９ａを通過する。第２ガイド５のスリット９ａを通過した他端１１ｂは、折り返してスリット９ｂを通過して第１ガイド３に向う。次いで、第１ガイド３のスリット７ｂを通過して、リング１３の開口（１３ｃ）を通過しながら折り返して第１ガイド３のスリット７ａを通り再び第２ガイド５に向かいスリット９ａを通過して第１ガイド３及び第２ガイド５で挟まれた領域の外側（第２ガイドの出口側）に到達している。図１Ａから分かるように、ストラップ１１が第１ガイド３と第２ガイド５の間を３／２回周回しており、その結果、第１ガイド３と第２ガイド５の間にストラップ１１が３重に重なって位置している。【００１２】  次いで、ストラップ装置１５の動作を説明する。図１Ａに示した状態のス���ラップ装置１５において、一方の手で携帯電話３０を持ち、他方の手でストラップ１１の他端１１ｂが連結されたクリップ２０を第２ガイド５から離れる方向に引く。すると、図１Ｂに示したように、第２ガイド５が第１ガイド３に近づく方向に移動しつつ、第１ガイド３及び第２ガイド５からストラップ１１が引出される。【００１３】  さらに、他端１１ｂを第２ガイド５から離れるように引離すと、図１Ｃに示したように、第１ガイド３に第２ガイド５が接触しそれ以上ストラップ１１は引出されなくなる。このとき、ストラップ１１の殆どの長さが引出されており、図１Ａに示した状態のストラップ装置１５における第１ガイド３と第２ガイド５との間隔の３倍の長さが引出されている。ストラップ装置１５を図１Ａに示したような元の状態に戻すには、第１ガイド３から第２ガイド５を引離せばよい。すなわち、一方の手で携帯電話３０を持ち、他方の手で第２ガイド５を第１ガイド３から離れる方向に引けばよい。このとき、前述のように、第２中央部材５ｂのクリップ２０側の端部がストラップ１１の延在方向に対して角度θで傾斜している。このため、図２に示したように、ストラップ１１の一端１１ａ（固定端）と他端１１ｂ（自由端）にかかる力は均等ではない。すなわち、第２ガイド５を第１ガイド３から離れる方向にＦの力で引くとすると、自由端にかかる力ｆ１と固定端側にかかる力ｆ２の配分は、ｆ１：ｆ２＝１：ｃｏｓθとなる。それゆえ、自由端であるストラップ１１ｂ側がより強い力で引かれるので、引き出されたストラップ１１がスムーズにガイド間に巻き込まれることになる。これにより、一方のガイド（５）のみを操作することで収納が可能なストラップが実現される。【００１４】第２実施形態
第２実施形態の装置を、図４Ａ及び４Ｂを参照しながら説明する。このストラップ装置１７では、ストラップの一端１１ａが第２ガイド５の中央部材５ｂに連結されており、ストラップ１１が第１ガイド３と第２ガイド５との間に４重に重なって存在する以外は、第１実施形態のストラップ装置と同一である。すなわち、ストラップ１１の他端１１ｂは第１ガイド３のスリット７ｂ、リング１３の開口（１３ｃ）、スリット７ａを通って第２ガイド５に向かい、スリット９ａ、９ｂを順次通った後、第１ガイド３に向かい、再度、スリット７ｂ、リング１３の開口（１３ｃ）、スリット７ａを順次通って、最後に第２ガイド５に戻ってスリット９ａを通過している。クリップ２０を第２ガイド５から離れる方向に引き離すと、図４Ｂに示すように、第２ガイド５が第１ガイド３に接触するまで第１ガイド３に近づき、ストラップ１１が引き出される。このようにストラップ１１が引き出されたストラップ装置１８を元に戻すには、一方の手で携帯電話３０を持ち、他方の手で第２ガイド５を第１ガイド３から離れる方向に引き離せば、図４Ａのようにスリット１１が第１ガイド３と第２ガイド５の間に引き込まれる。このストラップ装置１７では、第１ガイド３と第２ガイド５の間隔の４倍に伸張するストラップが実現する。この実施形態ではストラップ１１の端１１ａが第２ガイド５の中央部材５ｂに連結されているが、第１ガイドの３の中央部材３ｂに連結しても良い。この場合、リング１３は第２ガイド５ｂ側に接続され得る。【００１５】第３実施形態
このストラップ装置１９では、ストラップ１１が第１ガイド３と第２ガイド５との間に５重に重なって存在するように周回している以外は、第１実施形態のストラップ装置と同一である。ストラップ１１の一端１１ａは第１中央部材３ｂとリング１３の端部１３ａに連結されており、ストラップ１１の他端１１ｂは、スリット９ａ、９ｂ、スリット７ｂ、リング１３の開口（１３ｃ）、スリット７ａを順次通って一周し、ついで同様にスリット９ａ、９ｂ、スリット７ｂ、リング１３の開口（１３ｃ）、スリット７ａを順次通って二週目を周回し、最後に、スリット９ａ、９ｂ、スリット７ｂ、リング１３の開口（１３ｃ）、スリット７ａを順次通って三週目を周回し、そしてスリット９ａを出る。このストラップ装置１９では、第１ガイド３と第２ガイド５の間隔の５倍に伸張するストラップが実現する。【００１６】第４実施形態
この実施形態では、第２実施形態のストラップ装置１７をバッグに適用した例を図６を参照しながら説明する。ストラップ装置１７のリング１３をバッグ上面の端部近傍または側面の上方に取り付け、クリップ２０の代わりに、バックルの雄パーツ２２を取り付ける。バックルは雄パーツ２２とそれに着脱可能（ロック可能）な雌パーツ２４からなり、雌パーツ２４は、バッグ上面に設けられている。さらに、雌パーツ２４と同じもう一つの雌パーツ２４’が、リング１３が設けられている位置と対向するバッグ上面の端部近傍または側面の上方に取り付けられている。図６に示したように、ストラップ１１が縮んで短く収納されているときは雄パーツ２２が雌パーツ２４に係合しており、ストラップ１１を伸長したいときには、雄パーツ２２を雌パーツ２４から外して、雄パーツ２２を引いてストラップ１１をストラップ装置１７から引き出す。この操作により、第２ガイド５は第１ガイド３の方に接近し、最後に第１ガイド３に接合する。そして、雄パーツ２２を今度は雌パーツ２４’に係合させると、ストラップ１１はショルダストラップとなる。ストラップを収納するときは、雄パーツ２２を雌パーツ２４’から外して、第２ガイド５を第１ガイド３から引き離し、そして雄パーツ２２を雌パーツ２４に係合させればよい。第１ガイド３はバッグにリング１３を通じて固定されているために第２ガイド５だけを片手で引くだけで元の長さに縮めることができ、操作性に優れ、従来のショルダストラップ付きバッグの欠点を充分に解消している。この例では、第２実施形態のストラップ装置を用いて説明したが、実施形態１または３のストラップ装置も同様にしてバッグに取り付けることができることは言うまでもない。【００１７】その他の実施形態
実施形態１〜４において種々の変更を加えることができ、例えば、本発明の第２態様に従い、第１ガイド３を省略して、ストラップ１１をリング１３のみを通してもよい。本発明の第２態様により部品点数を減らし、コストダウンが可能となる。【００１８】  また、第２実施形態及び第３実施形態をさらに発展させて、ストラップ１１の周回数を増やすことでストラップを第１及び第２ガイド間で、６重、７重、８重またはそれ以上とすることができ、より一層ストラップ装置の伸長度を上げることが可能である。この場合、ストラップのスムーズな伸縮を確保するために後述のようなストラップ同士の摩擦を低減する工夫が有効となる。【００１９】  上記実施形態の変形例として、図７に示すように、第１ガイド３の中央部材３ｂをストラップの長手方向に３分割（あるいは２分割化）し、ストラップ１１の一端１１ａは最も第２ガイド５に近い分割部３１に連結し、第２ガイドの中央部材５ｂを周回した後のストラップ１１を中央の分割部３３を巻き返し、ストラップ１１の最後の周回時に最も第２ガイド５から遠い分割部３５にストラップを巻き返し得る。このようにストラップの周回ごとに異なる分割部をストラップ１１を周回させることにより、ストラップ１１の屈曲部（折返部）の重なりによる摩擦抵抗を低減して、よりスムーズにストラップを引き出しまたは収納することができる。中央部材の分割構造は第２ガイド５の中央部材にも用い得る。分割部は、断面円形でその径は第２ガイド５から遠くなるに従って大きくするのが摩擦低減の点で好ましい。【００２０】  さらに、中央部材またはその分割部を軸として回転可能なローラを中央部材またはその分割部に設け、ストラップ１１が第１ガイド及び／または第２ガイド部で折り返すときにローラを周回するようにすることで、ストラップの摺動がローラの回転によりスムーズになり中央部材またはその分割部とストラップとの摩擦抵抗を低減することができる。【００２１】  さらに、ストラップの収納（短縮）状態を維持するために、第２ガイドとクリップまたはバックルとを着脱可能にロックするロック部材を第２ガイドとクリップまたはバックルに設けても良い。【００２２】  本発明のストラップ装置の別の用途として、キーホルダやカメラのストラップとして使用することができる。また、本発明のストラップ装置は、動物の手綱、電気コードやハーネス、帽子やヘルメットの顎紐、めがねコード、コートのような衣類のベルト、ブラインドやカーテン、つり革など伸縮自在の機能があると便利な種々の製品に使用可能である。
【産業上の利用可能性】
【００２３】  本発明のストラップ装置は、バッグのショルダストラップや携帯電話のストラップなどの必要時にストラップを直ぐに引き出せ、しかも容易に収納できる種々の用途に好適であり、その他の知られたあるいは未知の分野での本発明のストラップ装置の活用により種々の産業を活性化することができる。
【図面の簡単な説明】
【００２４】
【図１】図１Ａは本発明のストラップ装置の構造を示す概略図であり、図１Ｂはストラップ装置の伸長途中の様子を示す概略図であり、図１Ｃはストラップ装置が伸長された状態の概略図である。
【図２】第２ガイドの断面概略図である。
【図３】携帯電話に使用したストラップ装置の斜視図である。
【図４】４倍伸長可能なストラップ装置の断面図である。
【図５】５倍伸長可能なストラップ装置の断面図である。
【図６】ストラップ装置をバッグに適用した例を示す概念図である。
【図７】分割構造の中央部材を有する第１ガイドの断面図である。
【符号の説明】
【００２５】３  第１ガイド
５  第２ガイド
７ａ，７ｂ、９ａ，９ｂ  スリット
１１  ストラップ
１３  リング
１５，１７，１９  ストラップ装置
２０  クリップ
３０  携帯電話
８０  バッグ本体
【図１】
2005199002.tif 000003
【図２】
2005199002.tif 000004
【図３】
2005199002.tif 000005
【図４】
2005199002.tif 000006
【図５】
2005199002.tif 000007
【図６】
2005199002.tif 000008
【図７】
2005199002.tif 000009